(57)【要約】【課題】自動的に容器内部の空気を排出して良好な真空状態を保持することができる容器用真空鮮度保持装置を提供する。【解決手段】容器用真空鮮度保持装置は、容器１に接続可能な接続機構２、排気／吸気機構３及び上蓋４から構成される。真空鮮度保持装置は、排気／吸気機構３内の構成部材と上蓋４上の制御操作部材とにより、容器内の良好な真空効果を自動的に保持することができる上、操作が簡単である。【選択図】図２
2015081145.tif 000002
【特許請求の範囲】
【請求項１】
容器に接続可能な接続機構、排気／吸気機構及び上蓋を備える真空鮮度保持装置であって、
前記接続機構は、上端の管体内縁上にねじ山が設けられ、前記ねじ山は、上部の前記排気／吸気機構外周のねじ山に螺着され、前記接続台中央には、接続筒が下方に延設され、前記接続筒に形成される凹孔中央には、空気孔が設けられており、
前記排気／吸気機構は、前記接続機構と前記上蓋との間に設置される円形の槽体であり、前記排気／吸気機構の下面外周上には、前記接続台のねじ山に螺着されるねじ山が設けられ、前記排気／吸気機構の下面上には、電池を装着することができる対称の電池ボックス、排気孔、吸気孔、排気／吸気部材及び固定フレームが設けられ、前記排気／吸気機構は、上方の前記上蓋によって密閉され、前記排気／吸気機構の槽体内には、密閉空間が形成され、
前記電池ボックスの一方の端部上には、導電片が固定される上、前記導電片は、モータの電極端に電気的に接続され、前記電池ボックスの他方の端部上には、導電片が固定され、
前記排気／吸気部材は、ガスケット、底板、排気／吸気板及び圧板を有し、前記排気／吸気板上には、導通孔、導通管、排気管及び吸気管が設けられ、前記排気／吸気板と前記圧板との間には、弁膜が設置され、前記排気管及び前記吸気管の上方には、接続軟質樹脂カバーがそれぞれ嵌設され、前記排気管上方の接続軟質樹脂カバーの錐型開口溝内には、一方向バルブが嵌設され、前記一方向バルブにより、前記容器内の空気を前記排気管端の接続軟質樹脂カバーの錐型開口溝から排出することはできるが、空気を進入させることはできないようにされ、
前記固定フレーム上には、前記モータ及び微動スイッチが固定され、前記電池ボックスの一方の端部の導電片と前記微動スイッチ中の一電極端とは、固定式に電気的に接続され、もう１つの導電片の尾端は、前記微動スイッチの接触電極端下方まで延設されることにより、接触して導電したり、離れて導電を遮断したりし、前記微動スイッチの一方の側部上には、スイッチ弾性片が延設され、
前記排気／吸気部材の導通孔上に膠質排気ポンプが嵌設され、前記排気／吸気部材の導通管上に圧力感知軟質樹脂が嵌設された後、前記固定フレームによって固定され、前記排気／吸気部材及び前記固定フレームは、前記排気／吸気機構上に螺着固定され、前記排気／吸気機構の前記排気孔と前記排気管とは連通し、前記吸気孔と前記導通管と前記吸気管とは連通し、前記膠質排気ポンプは、前記モータの偏心軸に連結され、前記圧力感知軟質樹脂の上端が前記微動スイッチのスイッチ弾性片に接触して前記モータが起動すると、前記膠質排気ポンプが運転し、下方から上方に排気を行い、
前記上蓋は、前記排気／吸気機構上を密封し、前記上蓋の前記排気／吸気機構の吸気管に対応する部位には、凹溝が設けられ、前記凹溝内には、一方向バルブが設置され、前記凹溝上には、円蓋が設けられ、前記上蓋上の前記排気／吸気機構の吸気管に対応する部位には、楕円凹溝が設けられ、前記楕円凹溝の一方の端部には、切欠及び係合ブロックが設けられ、前記楕円凹溝内には、凸軸を支点とする揺動ボタンが設けられ、
前記揺動ボタンの背面の一方の端部には、ばねを有する圧板が連結され、前記揺動ボタンの背面の他方の端部には、凸ロッドが設けられ、前記凸ロッド上には、ピストンが嵌設され、前記ピストンの一方の端部は、前記吸気管上方の前記接続軟質樹脂カバーの錐型開口溝内に進入し、前記揺動ボタンの正面部分には、ばねを有するスライドブロックが設けられ、前記スライドブロックの一方の端部は、前記楕円凹溝の一方の端部の切欠及び係合ブロックの部分まで延設されることを特徴とする容器用真空鮮度保持装置。
【請求項２】
前記接続機構の下端外周、上方及び底台には、軟質樹脂が一体成型されることにより、多層軟質樹脂リング、内円接触軟質樹脂面及び外円接触軟質樹脂面がそれぞれ設けられ、前記多層軟質樹脂リング、前記内円接触軟質樹脂面及び前記外円接触軟質樹脂面により、前記接続台と上方に螺着される前記排気／吸気機構とが気密性を保持することを特徴とする請求項１に記載の容器用真空鮮度保持装置。
【請求項３】
前記排気／吸気機構中の前記圧力感知軟質樹脂と前記弁膜とは、分かれて設置される上、異なる材質からなり、前記圧力感知軟質樹脂は、４つの内縁角の厚さが最も薄く、圧力が変化すると、前記圧力感知軟質樹脂は、瞬時に隆起又は陥没し、圧力が所定値に到達すると、前記４つの内縁角が先に変形して上端が瞬時に下降し、下降距離が顕著であるため、前記モータの電源を導通又は遮断し、前記膠質排気ポンプの排気を停止する制御を更に明確且つ機敏に行うことができることを特徴とする請求項１に記載の容器用真空鮮度保持装置。
【請求項４】
前記上蓋の揺動ボタンが水平状を呈する際、前記圧板は、上昇した状態を呈し、前記導電片の上端が前記微動スイッチの接触導電端に当接され、第１段階の電源導通状態となり、前記排気／吸気機構の密閉空間内の圧力が小さいため、前記圧力感知軟質樹脂が隆起して上方の前記スイッチ弾性片を上昇させ、前記微動スイッチの電源を導通させ、前記モータが起動され、前記排気ポンプが運転し、これと同時に、前記揺動ボタンの他方の端部下方の前記凸ロッド及び嵌設された前記ピストンが下降状態となり、前記吸気管の接続軟質樹脂カバーの開口端が密閉され、これにより、前記容器内の空気が前記排気管から前記容器外に吸い出される上、一部空気が前記吸気孔から前記導通孔を経由して前記排気／吸気機構の密閉空間内に吸気され、前記一部の空気は、前記導通管から前記圧力感知軟質樹脂内にも進入し、前記容器内の空気が吸い出されて真空状態となると、前記排気／吸気機構の密閉空間内の圧力が高くなるため、前記圧力感知軟質樹脂が瞬時に陥没し、上方の前記スイッチ弾性片が下降して前記微動スイッチの電源が遮断され、前記モータ及び前記排気ポンプの運転が停止することを特徴とする請求項１に記載の容器用真空鮮度保持装置。
【請求項５】
前記容器内の微量の気体が前記排気／吸気機構の密閉空間内に徐々に進入し、前記排気／吸気機構の密閉空間内の圧力が低下すると、前記圧力感知軟質樹脂が再び瞬時に隆起し、上方の前記スイッチ弾性片を上昇させ、前記微動スイッチの電源を導通し、前記モータを起動し、前記排気ポンプを運転させて排気を再び行い、上述の動作を繰り返すことにより、前記容器内は、真空状態が保持され、前記容器内の食品又は物品が湿気たり、鮮度が劣化したりするのを防止することができることを特徴とする請求項１に記載の容器用真空鮮度保持装置。
【請求項６】
前記上蓋の揺動ボタンの一方の端部を押圧し、前記スライドブロックの一方の端部を前記切欠に沿って下方に移動させる上、前記係合ブロック部分に係合すると、前記揺動ボタン背面の前記圧板が下降し、前記導電片を下方に押圧し、前記微動スイッチの接触導電端から離れることにより、電源が遮断され、前記モータの運転が停止し、このとき、前記揺動ボタンの他方の端部下方の前記凸ロッド及び嵌設される前記ピストンが上昇状態となり、前記吸気管の前記接続軟質樹脂カバーの開口端が開くため、外部の空気が前記吸気管から前記容器内に進入して圧力が解放され、これにより、前記排気／吸気機構及び前記上蓋と共に前記接続台を前記容器の開口端から取り外し、前記容器内部の食品を取り出すことができることを特徴とする請求項１に記載の容器用真空鮮度保持装置。
【請求項７】
前記上蓋の前記揺動ボタン上の前記スライドブロックを反対方向に揺動し、前記スライドブロックの一方の端部を前記係合ブロックから離脱させて前記切欠の位置に復位させて位置決めすると、前記揺動ボタン背面の前記圧板が前記ばねの作用によって上昇し、前記導電片を上昇させ、前記微動スイッチの前記接触導電端に接触することにより、運転状態に復帰することを特徴とする請求項１に記載の容器用真空鮮度保持装置。
【請求項８】
前記接続台と前記排気／吸気機構とは、ねじ山によって組み合わされ、前記排気／吸気機構から前記接続台を回転して分離することにより、電池交換を行うことができることを特徴とする請求項１に記載の容器用真空鮮度保持装置。
【発明の詳細な説明】
【技術分野】
【０００１】
本発明は、食品を収納する容器に対して良好な真空効果を自動的に保持する機能を有し、操作が簡単な容器用真空鮮度保持装置に関する。
【背景技術】
【０００２】
従来技術による食品鮮度保持容器としては、特許文献１〜特許文献５が挙げられる。しかし、特許文献１〜特許文献５の従来技術による食品鮮度保持容器は、密閉状態を有効に持続させることができない、排気機構を自動的に起動できない、操作性に劣るなどの欠点が多く存在する。例えば、従来の一食品鮮度保持容器は、ベース体にケース体が接続される構造である上、排気ポンプがベース体の内部に装着されるため、ベース体を水で洗浄することができない。また、ベース体上にケース体が覆設される構造であるため、ベース体にケース体を独立して接続し、負圧状態を全ての表面に実施させることができない。
【０００３】
上述の従来の食品鮮度保持容器の欠点に鑑み、本発明の発明者は、以前、自動排気機能を有する真空鮮度保持カバーを開発し、特許文献７〜特許文献９の特許を取得した。
【０００４】
しかし、特許文献７〜特許文献９の真空鮮度保持カバーは、本体の最底部に一方向バルブが設置されるため、一方向バルブを完全に密着させることができない。この原因は、膠質排気ポンプによる排気作用が終了した後も排気力が残留することにより、薄膜の密着が不完全となり、排気によって上カバー体の内部が真空状態になった後、大気圧によって一方向バルブを圧迫して気密性を保持することができず、円形の弁膜が大部分の圧力を受けるためである。このため、改善が求められていた。
【先行技術文献】
【特許文献】
【０００５】
【特許文献１】ＵＳ２００７００３４６２８
【特許文献２】ＵＳ２００７００５６９７１
【特許文献３】ＵＳ５９６４２５５
【特許文献４】ＣＮ２８５３６８５
【特許文献５】ＪＰ２０１０−２３６５１４
【特許文献６】ＴＷ５５４９０９
【特許文献７】ＴＷＩ３２２７８０
【特許文献８】ＣＮ１０１４１２４５７
【特許文献９】ＵＳ８，１１３，２４６
【発明の概要】
【発明が解決しようとする課題】
【０００６】
本発明の目的は、従来技術の欠点及び不足を解決して容器に収納された食品の鮮度を保持できる容器用真空鮮度保持装置を提供することにある。
【課題を解決するための手段】
【０００７】
上述の課題を解決するために、本発明の容器用真空鮮度保持装置は、食品を収納する容器内を真空にする装置であって、前記容器に接続可能な接続機構、排気／吸気機構及び上蓋を含む。
【０００８】
本発明に用いられる容器は、有底筒状で上端に開口を有し、内部に麺、パスタ、ビスケット、飴、椎茸などを入れることができる容器である。
【０００９】
前記接続機構は、上端の管体内縁上にねじ山が設けられる。ねじ山は、上部の排気／吸気機構に螺着される。接続機構中央には、接続筒が設けられる。接続筒に形成される凹孔中央には、空気孔が設けられる。接続台の下端外周、上方及び底台には、軟質樹脂が一体成型によって設けられる。下端外周の軟質樹脂が多層に設計され、上方に軟質樹脂が一体成型されることにより、下方に接続される容器と上方に螺着される排気／吸気機構とが良好な気密性を実現することができる。
【００１０】
前記排気／吸気機構は、円形の槽体であり、前記接続機構と上蓋との間に設置され、下面に電池ボックスが設けられ、上面にモータ、排気ポンプ及び圧力感知軟質樹脂が設けられる。圧力感知軟質樹脂上方には、微動スイッチが接触する。容器内の圧力が低下すると、圧力感知軟質樹脂が隆起し、微動スイッチの電源が導通され、モータが起動されて容器内の排気を行う。容器内の空気が排出されて真空状態になると、圧力が大きくなるため、圧力感知軟質樹脂が瞬時に陥没し、微動スイッチの電源が遮断され、モータの排気動作が停止する。
【００１１】
前記排気／吸気機構の圧力感知軟質樹脂と弁膜とは、別々に設けられる上、材質も異なる。圧力感知軟質樹脂が瞬時に隆起又は陥没する特性により、排気ポンプのモータの電源の導通又は遮断の制御の機敏性を高めることができる。
【００１２】
前記上蓋は、排気／吸気機構の上方に設けられる。上蓋上には、吸気孔及び排気孔が設けられ、吸気孔部分には、押圧式の吸気ボタンが設置され、迅速且つ簡単に空気バルブを開け、電源を遮断し、吸気を行い、容器内の物品を取り出したり、物品を容器内に入れたりすることができる。
【発明の効果】
【００１３】
本発明は、排気／吸気機構内の構成部材と上蓋上の制御操作部材とにより、接続した容器内に対して良好な真空効果を自動的に保持することができる上、操作が簡単な容器用真空鮮度保持装置を提供するものであり、従来の食品鮮度保持ボックス又は真空鮮度保持容器に存在する欠点を克服することができる。
【図面の簡単な説明】
【００１４】
【図１】本発明の一実施形態の主要部材を示す分解斜視図である。
【図２】本発明の一実施形態の主要部材の詳細構造を示す分解斜視図である。
【図３】本発明の一実施形態の主要部材の詳細構造を示す分解斜視図である。
【図４】本発明の接続台を示す一部切開斜視図である。
【図５】本発明の一実施形態の接続台、排気／吸気機構及び上蓋を組み合わせた状態を示す一部切開斜視図である。
【図６】本発明の一実施形態の排気／吸気機構の部材を示す分解斜視図である。
【図７】本発明の一実施形態の排気／吸気機構の部材を示す分解斜視図である。
【図８】本発明の一実施形態の圧力感知軟質樹脂を示す斜視図である。
【図９】本発明の一実施形態の圧力感知軟質樹脂を示す断面図である。
【図１０】本発明の一実施形態の圧力感知軟質樹脂が陥没した状態を示す断面図である。
【図１１】本発明の一実施形態の主要部材を示す一部切開斜視図である。
【図１２】本発明の一実施形態の主要部材を示す一部切開斜視図である。
【図１３】本発明の一実施形態の容器用真空鮮度保持装置の待機状態を示す断面図である。
【図１４】本発明一実施形態の容器用真空鮮度保持装置を操作した状態を示す断面図である。
【発明を実施するための形態】
【００１５】
図１に示すように、本発明の一実施形態の容器用真空鮮度保持装置は、容器１内を真空状態にする接続機構２、排気／吸気機構３及び上蓋４を含む。
【００１６】
図１〜図３に示すように、前記容器１は、例えば有底の筒状で上端に開口を有し、内部に麺、パスタ、ビスケット、椎茸などを入れることができる容器である。
【００１７】
図１〜図４に示すように、前記接続機構２は、上端の管体内縁上にねじ山２１が設けられる。ねじ山２１は、上部の排気／吸気機構３外周のねじ山３１に螺着される。接続機構２の中央には、接続筒２２が下方に延設される。接続筒２２に形成される凹孔中央には、∞形状の空気孔２２１が設けられる。この∞形状の空気孔２２１により、空気流量を十分に確保することができる上、食品の破片又は屑が詰まるのを防止することができる。
【００１８】
図４に示すように、接続機構２の下端外周、上方及び底台には、軟質樹脂が一体成型されることにより、多層軟質樹脂リング２３、内円接触軟質樹脂面２４及び外円接触軟質樹脂面２５がそれぞれ設けられる。多層軟質樹脂リング２３、内円接触軟質樹脂面２４及び外円接触軟質樹脂面２５により、接続機構２と上方に螺着される排気／吸気機構３とが良好な気密性を実現することができる（図５参照）。
【００１９】
図６及び図７に示すように、前記排気／吸気機構３は、接続機構２と上蓋４との間に設置される円形の槽体である。排気／吸気機構３の下面外周上には、接続機構２のねじ山２１に螺着されるねじ山３１が設けられる。排気／吸気機構３の下面上には、電池を装着することができる対称の電池ボックス３２、排気孔３３、吸気孔３４、排気／吸気部材３５及び固定フレーム３６が設けられる。排気／吸気機構３は、上方の上蓋４によって密閉され、排気／吸気機構３の槽体内には、密閉空間３７が形成される。
【００２０】
上述の電池ボックス３２の一方の端部上には、導電片３２１，３２２が固定される上、導電片３２１，３２２は、モータ３６１の電極端に電気的に接続される。電池ボックス３２の他方の端部上には、導電片３２３，３２４が固定される。
【００２１】
図７に示すように、上述の排気／吸気部材３５は、ガスケット３５１、底板３５２、排気／吸気板３５３及び圧板３５４を含む。排気／吸気板３５３上には、導通孔３５３１、導通管３５３２、排気管３５３３及び吸気管３５３４が設けられる。排気／吸気板３５３と圧板３５４との間には、弁膜３５５が設置される。排気管３５３３及び吸気管３５３４の上方には、接続軟質樹脂カバー３５３５，３５３６がそれぞれ嵌設される。排気管３５３３上方の接続軟質樹脂カバー３５３５の錐型開口溝３５３５１内には、一方向バルブ３５３７が嵌設される。一方向バルブ３５３７により、容器１内の空気を排気管３５３３端の接続軟質樹脂カバー３５３５の錐型開口溝３５３５１から排出することはできるが、空気を進入させることはできない。
【００２２】
上述の固定フレーム３６上には、モータ３６１及び微動スイッチ３６２が固定される。上述の電池ボックス３２の一方の端部の導電片３２３と微動スイッチ３６２中の一電極端３６２１とは、固定式に電気的に接続され、もう１つの導電片３２４の尾端は、微動スイッチ３６２の接触電極端３６２２下方まで延設されることにより、接触して導電したり、離れて導電を遮断したりする。微動スイッチ３６２の一方の側部上には、スイッチ弾性片３６２３が延設される。
【００２３】
排気／吸気部材３５の導通孔３５３１上に膠質排気ポンプ３５６が嵌設され、排気／吸気部材３５の導通管３５３２上に圧力感知軟質樹脂３５７が嵌設された後、固定フレーム３６によって固定され、排気／吸気部材３５及び固定フレーム３６は、排気／吸気機構３上に螺着固定される。また、排気／吸気機構３の排気孔３３と排気管３５３３とは連通し、吸気孔３４と導通管３５３２と吸気管３５３４とは連通する。膠質排気ポンプ３５６は、モータ３６１の偏心軸に連結される。圧力感知軟質樹脂３５７の上端が微動スイッチ３６２のスイッチ弾性片３６２３に接触してモータ３６１が起動すると、膠質排気ポンプ３５６が運転し、下方から上方に排気を行う。
【００２４】
図２〜図５に示すように、前記上蓋４は、排気／吸気機構３上を密封する。上蓋４の排気／吸気機構３の吸気管３５３４に対応する部位には、凹溝４１が設けられる。凹溝４１内には、一方向バルブ４１１が設置され、凹溝４１上には、円蓋４１２が設けられる。上蓋４上の排気／吸気機構３の吸気管３５３４に対応する部位には、楕円凹溝４２が設けられる。楕円凹溝４２の一方の端部には、切欠４２１及び係合ブロック４２２が設けられ、楕円凹溝４２内には、凸軸４３１を支点とする揺動ボタン４３が設けられる。
【００２５】
上述の揺動ボタン４３の背面の一方の端部には、ばね４３３を有する圧板４３２が連結され、揺動ボタン４３の背面の他方の端部には、凸ロッド４３４が設けられる。凸ロッド４３４上には、ピストン４３５が嵌設される。ピストン４３５の一方の端部は、吸気管３５３４上方の接続軟質樹脂カバー３５３６の錐型開口溝３５３６１内に進入する。揺動ボタン４３の正面部分には、ばね４３６を有するスライドブロック４３７が設けられる。スライドブロック４３７の一方の端部は、楕円凹溝４２の一方の端部の切欠４２１及び係合ブロック４２２の部分まで延設される。
【００２６】
図８〜図１０に示すように、前記排気／吸気機構３中の圧力感知軟質樹脂３５７は、下記する作用効果を有する。圧力感知軟質樹脂３５７は、弁膜３５５と分かれて設置される上、異なる材質からなる。図８〜図１０に示すように、圧力感知軟質樹脂３５７は、４つの内縁角３５７Ａ，３５７Ｂ，３５７Ｃ，３５７Ｄの厚さが最も薄く、圧力が変化すると、圧力感知軟質樹脂３５７は、瞬時に隆起又は陥没し、圧力が所定値に到達すると、４つの内縁角３５７Ａ，３５７Ｂ，３５７Ｃ，３５７Ｄが先に変形して上端が瞬時に下降する。下降距離３５７Ｅが顕著であるため、モータ３６１の電源を導通又は遮断し、膠質排気ポンプ３５６の排気を停止する制御を更に明確且つ機敏に行うことができる。
【００２７】
図１及び図１１〜図１３に示すように、容器１に食品を入れ、部材が組み合わされた接続機構２、排気／吸気機構３及び上蓋４を接続機構２の下端から容器１上端の開口に入れて密閉した際、揺動ボタン４３は、水平状を呈し、圧板４３２は、上昇した状態を呈し、導電片３２４の上端が微動スイッチ３６２の接触導電端３６２２に当接され、第１段階の電源導通状態となる。また、排気／吸気機構３の密閉空間３７内の圧力が小さいため、圧力感知軟質樹脂３５７が隆起して上方のスイッチ弾性片３６２３を上昇させ、微動スイッチ３６２の電源を導通させ、モータ３６１が起動され、排気ポンプ３５６が運転する。これと同時に、揺動ボタン４３の他方の端部下方の凸ロッド４３４及び嵌設されたピストン４３５が下降状態となり、吸気管３５３４の接続軟質樹脂カバー３５３６の開口端が密閉される。これにより、容器１内の空気が排気管３５３３から容器外に吸い出される上、一部空気が吸気孔３４から導通孔３５３１を経由して排気／吸気機構３の密閉空間３７内に吸気される。この一部の空気は、導通管３５３２から圧力感知軟質樹脂３５７内にも進入し、容器１内の空気が吸い出されて真空状態となると、排気／吸気機構３の密閉空間３７内の圧力が高くなるため、圧力感知軟質樹脂３５７が瞬時に陥没し、上方のスイッチ弾性片３６２３が下降して微動スイッチ３６２の電源が遮断され、モータ３６１及び排気ポンプ３５６の運転が停止する。
【００２８】
時間が経過するにつれ、容器１内の微量の気体が排気／吸気機構３の密閉空間３７内に徐々に進入し、排気／吸気機構３の密閉空間３７内の圧力が低下すると、圧力感知軟質樹脂３５７が再び瞬時に隆起し、上方のスイッチ弾性片３６２３を上昇させ、微動スイッチ３６２の電源を導通し、モータ３６１を起動し、排気ポンプ３５６を運転させて上述の排気を再び行う。上述の動作を繰り返すことにより、容器１内は、真空状態が保持され、容器１内の食品又は物品が湿気たり、鮮度が劣化したりするのを防止することができる。
【００２９】
容器１内の食品を取り出す場合、図１４に示すように、揺動ボタン４３の一方の端部を押圧し、スライドブロック４３７の一方の端部を切欠４２１に沿って下方に移動させる上、係合ブロック４２２部分に係合する。この際、揺動ボタン４３背面の圧板４３２が下降し、導電片３２４を下方に押圧し、微動スイッチ３６２の接触導電端３６２２から離れることにより、電源が遮断され、モータ３６１の運転が停止する。このとき、揺動ボタン４３の他方の端部下方の凸ロッド４３４及び嵌設されるピストン４３５が上昇状態となり、吸気管３５３４の接続軟質樹脂カバー３５３６の開口端が開くため、外部の空気が吸気管３５３４から容器１内に進入して圧力が解放される。これにより、排気／吸気機構３及び上蓋４と共に接続台２を容器１の開口端から取り外し、容器１内部の食品を取り出すことができる。また、電池を交換する際は、排気／吸気機構３から接続台２を回転して分離させればよい。
【００３０】
再び真空状態に復帰させたい場合、揺動ボタン４３上のスライドブロック４３７を反対方向に揺動し、スライドブロック４３７の一方の端部を係合ブロック４２２から離脱させて切欠４２１の位置に復位させて位置決めすればよい。この際、揺動ボタン４３背面の圧板４３２がばね４３３の作用によって上昇し、導電片３２４を上昇させ、微動スイッチ３６２の接触導電端３６２２に接触することにより、運転状態に復帰する。
【００３１】
以上の説明は、本発明の具体的な実施形態を説明するのみであり、本発明の保護範囲は、これに限定されず、当業者が本発明が開示する技術に基づき、容易に考え得る変更等は、本発明の保護範囲に含まれる。本発明の保護範囲は、特許請求の範囲に準ずる。
【符号の説明】
【００３２】
１  容器
２  接続機構
２１  ねじ山
２２  接続筒
２２１  ∞形状の空気孔
２３  多層軟質樹脂リング
２４  内円接触軟質樹脂面
２５  外円接触軟質樹脂面
３  排気／吸気機構
３１  ねじ山
３２  電池ボックス
３２１  導電片
３２２  導電片
３２３  導電片
３２４  導電片
３３  排気孔
３４  吸気孔
３５  排気／吸気部材
３５１  ガスケット
３５２  底板
３５３  排気／吸気板
３５３１  導通孔
３５３２  導通管
３５３３  排気管
３５３４  吸気管
３５３５  接続軟質樹脂カバー
３５３５１  錐型開口溝
３５３６  接続軟質樹脂カバー
３５３６１  錐型開口溝
３５３７  一方向バルブ
３５４  圧板
３５５  弁膜
３５６  膠質排気ポンプ
３５７  圧力感知軟質樹脂
３５７Ａ  内縁角
３５７Ｂ  内縁角
３５７Ｃ  内縁角
３５７Ｄ  内縁角
３５７Ｅ  下降距離
３６  固定フレーム
３６１  モータ
３６２  微動スイッチ
３６２１  電極端
３６２２  接触電極端
３６２３  スイッチ弾性片
３７  密閉空間
４  上蓋
４１  凹溝
４１１  一方向バルブ
４１２  円蓋
４２  楕円凹溝
４２１  切欠
４２２  係合ブロック
４３  揺動ボタン
４３１  凸軸
４３２  圧板
４３３  ばね
４３４  凸ロッド
４３５  ピストン
４３６  ばね
４３７  スライドブロック
【図１】
2015081145.tif 000003
【図２】
2015081145.tif 000004
【図３】
2015081145.tif 000005
【図４】
2015081145.tif 000006
【図５】
2015081145.tif 000007
【図６】
2015081145.tif 000008
【図７】
2015081145.tif 000009
【図８】
2015081145.tif 000010
【図９】
2015081145.tif 000011
【図１０】
2015081145.tif 000012
【図１１】
2015081145.tif 000013
【図１２】
2015081145.tif 000014
【図１３】
2015081145.tif 000015
【図１４】
2015081145.tif 000016